(57)【要約】  生体光計測装置のプローブホルダ装着具においては、光ファイバプローブが装着される複数のプローブ装着部を有するプローブホルダと、上記プローブ装着部を挿通するための複数の挿通穴を有し、これらの挿通穴を介して上記プローブホルダを固定する帯状の装着具本体と、上記装着具本体の長手方向の両端部にその一端が接続され、その他端で係合されるベルトと、上記装着具本体の短手方向において上記プローブホルダが固定される位置で上記装着具本体と接続される調整用ベルトとを備える。【特許請求の範囲】
【請求項１】
光ファイバプローブが装着される複数のプローブ装着部を有するプローブホルダと、
上記プローブ装着部を挿通するための複数の挿通穴を有し、これらの挿通穴を介して上記プローブホルダを固定する帯状の装着具本体と、
上記装着具本体の長手方向の両端部にその一端が接続され、その他端で係合されるベルトと、
上記装着具本体の短手方向において上記プローブホルダが固定される位置で上記装着具本体と接続される調整用ベルトとを備えることを特徴とする生体光計測装置のプローブホルダ装着具。
【請求項２】
上記調整用ベルトは上記装着具本体に複数備えている請求項１記載の生体光計測装置のプローブホルダ装着具。
【請求項３】
上記装着具本体の短手方向の端部に互いに間隔をおいて取り付けられ、上記調整用ベルトが接続される複数の調整用ベルト用締結具をさらに備えている請求項２記載の生体光計測装置のプローブホルダ装着具。
【請求項４】
上記装着具本体に設けられ、かつ上記装着具本体よりも伸縮性が低い材料からなり、被検体の頭部に上記装着具本体を巻き付ける際に被検体の額に沿って当てられる芯をさらに備えている請求項１記載の生体光計測装置のプローブホルダ装着具。
【請求項５】
上記芯には、左右の中心を示す中心線が付されている請求項４記載の生体光計測装置のプローブホルダ装着具。
【請求項６】
上記装着具本体には、上記挿通孔を設ける位置の目安とするための目印線が左右対称に付されている請求項１記載の生体光計測装置のプローブホルダ装着具。
【請求項７】
上記目印線は、格子状である請求項６記載の生体光計測装置のプローブホルダ装着具。
【請求項８】
上記装着具本体は、被検体の前頭部に当てられる前装着部と、左側頭部に当てられる左装着部と、右側頭部に当てられる右装着部とを有している請求項１記載の生体光計測装置のプローブホルダ装着具。
【請求項９】
上記装着具本体の左右両端部には、帯状の延長部が接続されている請求項１記載の生体光計測装置のプローブホルダ装着具。
【請求項１０】
上記プローブホルダの端部には、上記調整用ベルトが挿通するためのスリットが設けられている請求項２記載の生体光計測装置のプローブホルダ装着具。
【請求項１１】
上記装着具本体の両端に接続された第２のベルトをさらに備えている請求項１記載の生体光計測装置のプローブホルダ装着具。
【請求項１２】
上記装着具本体には、複数の上記プローブホルダが固定されている請求項１記載の生体光計測装置のプローブホルダ装着具。
【請求項１３】
上記複数のプローブ装着部は、マトリックス状に配列されている請求項１記載の生体光計測装置のプローブホルダ装着具。
【請求項１４】
前記調整用ベルトは、上記装着具本体に直接接続されている請求項２記載の生体光計測装置のプローブホルダ装着具。
【請求項１５】
上記装着具本体は、伸縮可能な布により構成されている請求項１記載の生体光計測装置のプローブホルダ装着具。
【請求項１６】
上記調整用ベルトは、上記装着具本体の短手方向の端部と上記プローブホルダに接続される請求項１記載の生体光計測装置のプローブホルダ装着具。
【請求項１７】
上記プローブホルダは、シリコンで椀状に形成され、矩形状のスリットが設けられている請求項１記載の生体光計測装置のプローブホルダ装着具。
【請求項１８】
上記プローブホルダの湾曲の曲率は、中央部の曲率から周端に向かって順次小さくなるよう形成されている請求項１記載の生体光計測装置のプローブホルダ装着具。
【請求項１９】
光ファイバプローブを装着するプローブ装着部を有するプローブホルダと、
上記プローブ装着部を挿通して上記プローブホルダを固定する装着具本体と、
上記装着具本体の長手方向の両端部に接続され、被検体の頭部を締め付けるベルトと、
上記装着具本体の短手方向の端部及び上記プローブホルダに接続される調整紐とを備えることを特徴とする生体光計測装置のプローブホルダ装着具。
【発明の詳細な説明】
【技術分野】
【０００１】
この発明は、生体光計測装置のプローブホルダを被検体に装着する際に使用される生体光計測装置のプローブホルダ装着具に関するものである。
【背景技術】
【０００２】
従来のプローブ装置では、複数のプローブがシェル部に格子状に配置されている。シェル部には、紐を介してベルトが接続されており、ベルトを顎に掛けることによりシェル部が頭部に装着される。シェル部は、頭部に沿うようにシリコンゴム等の柔らかいゴムにより構成されている（例えば、特許文献１参照）。【０００３】
【特許文献１】特開２００１−２８６４４９号公報
【発明の開示】
【発明が解決しようとする課題】
【０００４】
上記のような従来のシェル部の装着方法では、ベルトを顎に掛けるため、被検者に締め付け感を与えてしまう。また、プローブの位置の微調整が難しく、装着位置の再現性が低かった。【０００５】
この発明は、上記のような課題を解決するためになされたものであり、強い締め付け感を与えることなく、被検体に容易に装着することができ、かつプローブホルダの位置の微調整を行うことができる生体光計測装置のプローブホルダ装着具を得ることを目的とする。
【課題を解決するための手段】
【０００６】
この発明による生体光計測装置のプローブホルダ装着具は、光ファイバプローブを固定するプローブ装着部を有するプローブホルダと、上記プローブ装着部を挿通して上記プローブホルダを固定する装着具本体と、上記装着具本体の長手方向の両端部に接続され、被検体の頭部を締め付けるベルトと、上記装着具本体の短手方向の端部及び上記プローブホルダに接続される調整用ベルトとを備える。
【図面の簡単な説明】
【０００７】
【図１】この発明の実施の形態１による生体光計測装置のプローブホルダ装着具を示す平面図である。
【図２】プローブホルダの一例を示す平面図である。
【図３】図１のプローブホルダ及びプローブホルダ装着具が装着された被検体の頭部を示す正面図である。
【図４】図３の被検体を示す斜視図である。
【図５】図３の被検体を図４とは異なる角度から見た斜視図である。
【図６】図１のプローブホルダ装着具に他の種類のプローブホルダを組み合わせた状態を示す平面図である。
【発明を実施するための最良の形態】
【０００８】
以下、この発明の好適な実施の形態について図面を参照して説明する。
実施の形態１．
図１はこの発明の実施の形態１による生体光計測装置のプローブホルダ装着具を示す平面図であり、２個のプローブホルダ１が装着された状態を示している。図において、各プローブホルダ１には、光ファイバプローブが装着される複数のプローブ装着部（ソケット）２が設けられている。プローブ装着部２は、マトリックス状に配列されている。また、プローブホルダ１のベース部分は、例えばシリコンゴム等の柔軟な材料により構成されている。【０００９】
プローブホルダ１は、プローブホルダ装着具３を用いて被検体の頭部に装着される。プローブホルダ装着具３は、帯状の装着具本体４と、装着具本体４の長手方向の両端部に接続され、被検体の頭部を締め付けるベルト５ａ，５ｂと、一方のベルト５ａに設けられた主締結具としての主バックル６と、装着具本体４の長さ方向に沿って固定された紐状の芯７と、装着具本体４に互いに間隔をおいて取り付けられた複数の調整紐用バックル８ａ〜８ｆと、装着具本体４に調整紐用バックル８ａ〜８ｆを介して又は直接接続された複数本の調整紐９ａ〜９ｃとを有している。【００１０】
装着具本体４は、伸縮可能な布により構成されており、プローブホルダ１を被検体に装着する際に被検体に巻き付けられる。装着具本体４には、プローブホルダ１のプローブ装着部２を挿通するための複数の挿通孔４ａが設けられている。挿通孔４ａは、使用するプローブホルダ１のプローブ装着部２の位置に合わせて、ハサミ等を用いて設けられる。【００１１】
図１に示すように、装着具本体４には左右６箇所ずつ挿通孔４ａが設けられている。即ち、各プローブホルダ１について、９箇所のプローブ装着部２のうち、６箇所が挿通孔４ａに挿通され、３箇所が挿通孔４ａに挿通されていない。このように、必ずしも全てのプローブ装着部２を挿通孔４ａに挿通させる必要はない。【００１２】
装着具本体４には、挿通孔４ａを設ける位置の目安とするための格子状の目印線４ｂが左右対称に付されている。挿通孔４ａを設ける際、目印線４ｂを参照することにより、挿通孔４ａを左右対称に設けることができ、結果的にプローブホルダ１を左右対称に配置することができる。装着具本体４の左右両端部には、帯状の延長部４ｃ，４ｄが接続されている。【００１３】
プローブホルダ１を被検体の頭部に装着する際、芯７を額に沿って当てるように装着具本体４が頭部に巻き付けられ、ベルト５ｂの端部が主バックル６に接続される。ベルト５ａ，５ｂ及び主バックル６は、装着具本体４の両端部を結合するとともに、頭部のサイズに合わせて締め付け力を調整するための結合調整手段として機能する。締め付け力は、装着具本体４を頭部に固定するために最低限必要な力に調整される。【００１４】
芯７は、ベルト５ａ，５ｂ及び主バックル６により調整された締め付け力よりも強い締め付け感を頭部に与えないように伸縮性を持たない材料（装着具本体４よりも伸縮性が十分に低い材料）により構成されている。そして、被検体の頭部の外周長の違いには、ベルト５ｂ及び主バックル６により対応する。また、装着具本体４は、プローブホルダ装着具３を頭部に装着するための延長部４ｃ、４ｄを備えている。後頭部で延長部４ｃ、４ｄを結合することにより、プローブホルダ装着具３を頭部に装着することができる。このように、延長部４ｃ、４ｄを用いて締め付けを行うことにより、ベルト５ａ、５ｂや主バックル６を用いずにプローブホルダ装着具３を頭部に装着することもできる。【００１５】
調整紐９ａ〜９ｃは、例えば幅１０ｍｍ程度の細いベルト状の紐であり、プローブホルダ１を被検体に装着する際に装着具本体４上の異なる２点間に渡されるとともにプローブホルダ１に係合される。例えば、調整紐９ａ，９ｂの一端部は、図１に示すように左右対称位置の調整紐用バックル８ｂ，８ｆに接続されている。プローブホルダ１を被検体に装着する際には、調整紐９ａ，９ｂの中間部がプローブホルダ１のスリット１ａ、１ｂ、１ｃ、１ｄなどに係合された上で、調整紐９ａ，９ｂの他端部が一端部とは反対側に位置するバックル８ａ，８ｃ，８ｄ，８ｆのいずれかに接続される。調整紐９ａ〜９ｃは、装着具本体４の短手方向の端部とプローブホルダに接続される。【００１６】
図２はプローブホルダの一例を示す平面図であり、プローブ装着部２が４×４のマトリックス状に配列されている例を示している。プローブホルダ１は、シリコン等の材料で形成され、被検体の頭部の形状に合わせて椀状に形成されている。このプローブホルダ１の湾曲の曲率は、中央部の曲率から周端に向かって順次小さくなるように形成されている。被検体の頭部の大きさや形状に合わせてプローブホルダ１を曲げて微調整を行いやすくするため、矩形状のスリット１２が複数設けられている。【００１７】
プローブホルダ１の四隅には、スリット１ａ、１ｂ、１ｃ、１ｄなどが設けられている。スリット１ａ、１ｂは、調整紐９ａを挿通して係合させるためのものであり、調整紐９ａを挿通するに充分な大きさである。【００１８】
プローブ装着部２は、光ファイバプローブを固定するものである。これらプローブ装着部２には、照射用光ファイバプローブと集光用光ファイバプローブが交互に配置される。プローブ装着部２の円周上の一部には、切り欠き２ｂが設けられている。即ち、プローブ装着部２の断面は、Ｃ字形状となっている。プローブ装着時、この切り欠き２ｂからプローブ先端を観察することができるため、頭表におけるプローブ装着状態を確認しながらセッティングを行うことができる。また、この切り欠き２ｂに髪避け治具やエアブロワを挿入して、髪を避けることができる。プローブ装着部２の内周面には光ファイバプローブを固定するための凹部２ａが設けられており、光ファイバプローブには凹部２ａに適合するような凸部が設けられている。そのため、光ファイバプローブがプローブ装着部２に緩みなく固定され、光ファイバプローブと被検体との距離が一定に保たれる。また、プローブ装着部２の外周面には、装着具本体４を掛止するための溝が設けられている。この溝で装着具本体４を掛止することにより、装着具本体４がプローブ装着部２に固定される。【００１９】
また、プローブホルダ１の外周にはスリット１１が一定間隔で設けられている。プローブホルダ１と装着具本体４とを一体化して固定させる際、スリット１１と装着具本体４が重なっている箇所において、装着具本体４とスリット１１に紐などをそれぞれ挿通させる。なお、このスリット１１に調整紐９ａを挿通させてもよい。【００２０】
調整紐９ａ〜９ｃの中間部は、スリット１ａに挿通されることによりプローブホルダ１に係合される。このため、調整紐９ａ〜９ｃの調整紐用バックル８ａ〜８ｆへの接続位置を調整することにより、プローブホルダ１間の距離や調整紐用バックル８ａ〜８ｆからプローブホルダ１までの距離を微調整することができる。また、プローブホルダ１を頭部の形状に沿わせ密着性を高めることができる。調整紐９ａ〜９ｃは、プローブホルダ１の他の孔に通したり、プローブ装着部２に巻き付けたりしてもよい。【００２１】
図３は図１のプローブホルダ１及びプローブホルダ装着具３が装着された被検体の頭部を示す正面図、図４は図３の被検体を示す斜視図、図５は図３の被検体を図４とは異なる角度から見た斜視図である。調整紐９ａ，９ｂの配置は、特に限定されるものではなく、使用するプローブホルダ１の種類や被検体の頭部のサイズ等に応じて適宜決定される。【００２２】
この調整紐９ａ、９ｂの接続について、具体的に説明する。調整紐９ａの始端部は、バックル８ｂに固定される。バックル８ｂに固定された調整紐９ａは、プローブホルダ１の頭部前方側のスリット１ｃに挿通される。そして、この挿通された調整紐９ａは、他のプローブホルダ１の頭部前方側のスリット１ａに挿通される。そして、これら２つのプローブホルダ１に係合された調整紐９ａの終端部は、バックル８ｅに固定される。また、調整紐９ｂの始端部は、バックル８ｆに固定される。バックル８ｆに固定された調整紐９ｂは、プローブホルダ１の頭部後方側のスリット１ｂに挿通される。そして、この挿通された調整紐９ｂは、他のプローブホルダ１の頭部後方側のスリット１ｄに挿通される。そして、これら２つのプローブホルダ１に係合された調整紐９ｂの終端部は、バックル８ａに固定される。このようにして調整紐９ａ、９ｂの締め付けを行う。【００２３】
また、この装着例では、調整紐９ｃは使用しないため除去されている。また、芯７には、プローブホルダ装着具３の左右の中心を示す中心線１０が付されている。このように、プローブホルダ装着具３に対するプローブホルダ１の位置決め用の目印線４ｂだけでなく、プローブホルダ装着具３の被検体に対する位置決め用の線を付すことにより、プローブホルダ１をよりスムーズに計測部位に配置することができる。【００２４】
図６は図１のプローブホルダ装着具３に他の種類のプローブホルダ１を組み合わせた状態を示す平面図である。この例では、プローブ装着部２が５×３のマトリックス状に配列されており、プローブホルダ１がプローブホルダ装着具３の中央に配置されている。即ち、図１は左右の側頭部を計測部位とする場合のプローブホルダ１の配置を示し、図６は前頭部を計測部位とする場合のプローブホルダ１の配置を示している。即ち、装着具本体４は、被検体の前頭部に当てられる前装着部と、左側頭部に当てられる左装着部と、右側頭部に当てられる右装着部とを有している。従って、プローブホルダ装着具３は、あらゆる種類のプローブホルダ１に対応可能であるとともに、あらゆる計測部位にも対応可能である。【００２５】
このようなプローブホルダ装着具３によれば、被検体に巻き付けられる帯状の装着具本体４を用いたので、環状のゴム等により締め付ける帽子タイプの装着具に比べ、被検体に強い締め付け感を与えることがない。また、頭部の上部が装着具本体４により覆われず露出されるので、装着位置の確認がし易く、被検体への装着が容易である。さらに、調整紐９ａ〜９ｃの接続位置を調整することにより、プローブホルダ１の位置の微調整を行うことができる。【００２６】
また、装着具本体４には、伸縮性を持たない芯７が設けられており、被検体の頭部に装着具本体４を巻き付ける際には、芯７被検体の額に沿って当てられるので、被検体に強い締め付け感を与えることなく、装着具本体４を被検体にしっかりと固定することができる。【００２７】
さらに、装着具本体４には目印線４ｂが付されているので、挿通孔４ａを左右対称に設けることができ、プローブホルダ１を容易に適正な位置に配置することができる。【００２８】
なお、装着具本体４を構成する伸縮可能な布としては、ポリエステル繊維やポリオレフィン繊維などの不織布が好適である。【００２９】
また、被検体の頭部のサイズに対応した目盛りをベルト５ｂに付し、締め付け度合いの調整の目安としてもよい。
さらに、装着具本体４の色は特に限定されないが、少なくともプローブホルダ１が取り付けられる部分は、黒とするのが好適であり、遮光性を向上させることができる。
さらにまた、装着具本体４のプローブホルダ１が取り付けられる部分の色に対して、ベルト５ａ，５ｂ、調整紐９ａ〜９ｃ及び延長部４ｃ，４ｄの少なくともいずれかの色を変えることにより、被検体の頭部への装着作業の作業性を向上させることができる。
また、芯７の表面に目盛りを付してもよい。装着具本体４とプローブホルダ１を装着した際、眉毛や眉間の位置に対応する目盛りを記録しておくことにより、再度装着する際、予め記録した目盛りに合わせて眉毛や眉間の位置を確認して装着具本体４とプローブホルダ１を装着することができる。よって、頭部に対する装着具本体４とプローブホルダ１の装着の再現性を向上させることができる。
【図１】
2007026644.tif 000002
【図２】
2007026644.tif 000003
【図３】
2007026644.tif 000004
【図４】
2007026644.tif 000005
【図５】
2007026644.tif 000006
【図６】
2007026644.tif 000007
【国際調査報告】
2007026644.tif 000008
2007026644.tif 000009
2007026644.tif 000010
2007026644.tif 000011
2007026644.tif 000012
2007026644.tif 000013